(57)【要約】【課題】キャンセルしたジョブを容易に再実行させる。【解決手段】ジョブ制御装置に、表示部と、記憶部と、ジョブを実行する実行部と、実行中のジョブの実行状況を表示する第一表示欄と当該ジョブの実行をキャンセルさせるキャンセル指示が入力可能な第一入力部とを含む第一操作画面を表示部に表示する状況表示部と、キャンセル指示が入力された場合、当該キャンセル指示に対応するジョブをキャンセルジョブとして記憶部に記憶し、当該ジョブの実行をキャンセルさせるキャンセル部と、記憶部に記憶されているキャンセルジョブを選択可能に表示する選択表示欄と選択表示欄において選択されたキャンセルジョブを再実行させる復帰指示が入力可能な第二入力部とを含む第二操作画面を表示部に表示する復帰表示部と、復帰指示が入力された場合、当該復帰指示に対応するキャンセルジョブを実行させる復帰制御部と、を備える。【選択図】図１
2016155339.tif 000002
【特許請求の範囲】
【請求項１】
表示部と、
記憶部と、
ジョブを実行する実行部と、
前記実行部により実行中の前記ジョブの実行状況を表示する第一表示欄と、当該ジョブの実行をキャンセルさせるキャンセル指示が入力可能な第一入力部と、を含む第一操作画面を前記表示部に表示する状況表示部と、
前記キャンセル指示が入力された場合、当該キャンセル指示に対応する前記ジョブをキャンセルジョブとして前記記憶部に記憶し、前記実行部に当該ジョブの実行をキャンセルさせるキャンセル部と、
前記記憶部に記憶されている前記キャンセルジョブを選択可能に表示する選択表示欄と、前記選択表示欄において選択された前記キャンセルジョブを再実行させる復帰指示が入力可能な第二入力部と、を含む第二操作画面を前記表示部に表示する復帰表示部と、
前記復帰指示が入力された場合、当該復帰指示に対応する前記キャンセルジョブを前記実行部に実行させる復帰制御部と、
を備えるジョブ制御装置。
【請求項２】
前記キャンセル部は、前記キャンセルジョブを構成する一以上の連続する処理のうち、当該キャンセルジョブの実行がキャンセルされたときに実行されていた処理を示す処理情報を当該キャンセルジョブと対応付けて前記記憶部に記憶し、
前記復帰制御部は、前記復帰指示に対応する前記キャンセルジョブを前記実行部に実行させる場合、当該キャンセルジョブと対応付けて前記記憶部に記憶されている前記処理情報が示す処理以降の処理を前記実行部に実行させる請求項１に記載のジョブ制御装置。
【請求項３】
ユーザーをログイン及びログアウトさせるログイン管理部を更に備え、
前記復帰表示部は、前記ログインしているユーザーによって入力された前記キャンセルジョブを前記選択表示欄に表示する請求項１又は２に記載のジョブ制御装置。
【請求項４】
前記記憶部に記憶されている前記キャンセルジョブを削除する削除処理を予め定められたタイミングで実行する削除処理部を更に備える請求項１から３の何れか一項に記載のジョブ制御装置。
【請求項５】
ユーザーによる前記タイミングの入力を受け付ける時期受付部を更に備える請求項４に記載のジョブ制御装置。
【請求項６】
前記ジョブ制御装置の消費電力を抑制するスリープモードと、前記消費電力を抑制しない通常モードとの間で、電力モードを切り替えるモード切替部を更に備え、
前記削除処理部は、前記電力モードが前記スリープモードに切り替えられたタイミングで前記削除処理を実行する請求項４又は５に記載のジョブ制御装置。
【請求項７】
前記ジョブ制御装置への電力の供給を遮断するスイッチ部を更に備え、
前記削除処理部は、前記スイッチ部により前記電力の供給が遮断されたタイミングで前記削除処理を実行する請求項４から６の何れか一項に記載のジョブ制御装置。
【請求項８】
前記ジョブの入力を受け付けるジョブ受付部と、
画像を出力する画像出力部と、を更に備え、
前記削除処理部は、前記画像出力部に画像を出力させる画像出力ジョブが前記ジョブ受付部により受け付けられた場合、前記削除処理において、当該画像出力ジョブが出力対象とする画像と同じ画像を前記画像出力部に出力させる前記キャンセルジョブを削除する請求項４から７の何れか一項に記載のジョブ制御装置。
【請求項９】
ユーザーをログイン及びログアウトさせるログイン管理部を更に備え、
前記削除処理部は、前記ログイン管理部がユーザーをログアウトさせたタイミングで前記削除処理を実行し、当該削除処理において、当該ログアウトされたユーザーによって入力された前記キャンセルジョブを削除する請求項４から８の何れか一項に記載のジョブ制御装置。
【発明の詳細な説明】
【技術分野】
【０００１】
本発明は、ジョブ制御装置に関し、特に、実行中のジョブをキャンセルする技術に関する。
【背景技術】
【０００２】
従来から、プリンターやコピー機等の画像形成装置において、実行中のジョブや未完了のジョブを画面に一覧表示し、当該一覧表示されたジョブの中から選択したジョブの実行をキャンセルする技術が知られている。
【０００３】
例えば、下記特許文献１には、ストップ／クリアキー等の押下に応答して実行中のジョブを一時停止し、当該一時停止中及び待機中のジョブをジョブリスト画面に一覧表示することが開示されている。そして、当該一覧表示されたジョブの中から選択されたジョブの実行をキャンセルするキャンセル指示が入力されると、キャンセルするか否かを選択させ、キャンセルすることが選択された場合に、当該選択されたジョブの実行をキャンセルすることが開示されている。
【０００４】
また、下記特許文献２には、印刷ジョブの中止指示を受け付けた際に、印刷が完了していない印刷ジョブが複数ある場合、当該複数の印刷ジョブを確認画面に一覧表示し、当該一覧表示された印刷ジョブの中から選択された印刷ジョブの実行を中止することが開示されている。
【先行技術文献】
【特許文献】
【０００５】
【特許文献１】特開２００８−１８６２２号公報
【特許文献２】特開２０１２−２０４３２号公報
【発明の概要】
【発明が解決しようとする課題】
【０００６】
しかし、上記の従来技術では、一覧表示された複数のジョブの中からキャンセルする対象のジョブを選択しようとした場合に、ジョブを誤って選択し、当該ジョブの実行をキャンセルする虞があった。この場合、その後、ユーザーが、誤って意図しないジョブの実行をキャンセルさせたことに気付き、当該ジョブを再実行させようとしたとき、当該ジョブの入力操作を最初からやり直す手間が必要であった。
【０００７】
本発明は、上記の問題を解決するためになされたものであり、キャンセルしたジョブを容易に再実行することができるジョブ制御装置を提供することを目的とする。
【課題を解決するための手段】
【０００８】
本発明によるジョブ制御装置は、表示部と、記憶部と、ジョブを実行する実行部と、前記実行部により実行中の前記ジョブの実行状況を表示する第一表示欄と、当該ジョブの実行をキャンセルさせるキャンセル指示が入力可能な第一入力部と、を含む第一操作画面を前記表示部に表示する状況表示部と、前記キャンセル指示が入力された場合、当該キャンセル指示に対応する前記ジョブをキャンセルジョブとして前記記憶部に記憶し、前記実行部に当該ジョブの実行をキャンセルさせるキャンセル部と、前記記憶部に記憶されている前記キャンセルジョブを選択可能に表示する選択表示欄と、前記選択表示欄において選択された前記キャンセルジョブを再実行させる復帰指示が入力可能な第二入力部と、を含む第二操作画面を前記表示部に表示する復帰表示部と、前記復帰指示が入力された場合、当該復帰指示に対応する前記キャンセルジョブを前記実行部に実行させる復帰制御部と、を備える。
【０００９】
本構成によれば、キャンセル指示に対応するジョブの実行がキャンセルされた場合に、当該ジョブがキャンセルジョブとして記憶部に記憶される。そして、記憶部に記憶されたキャンセルジョブが第二操作画面の選択表示欄に表示される。
【００１０】
このため、ユーザーは、キャンセルしたジョブを再実行させようとした場合に、当該ジョブの入力操作を最初からやり直す手間をかけることなく、第二操作画面の選択表示欄に表示されたキャンセルジョブを選択し、第二入力部を用いて復帰指示を入力するだけで、当該選択したキャンセルジョブを容易に再実行させることができる。
【００１１】
また、前記キャンセル部は、前記キャンセルジョブを構成する一以上の連続する処理のうち、当該キャンセルジョブの実行がキャンセルされたときに実行されていた処理を示す処理情報を当該キャンセルジョブと対応付けて前記記憶部に記憶し、前記復帰制御部は、前記復帰指示に対応する前記キャンセルジョブを前記実行部に実行させる場合、当該キャンセルジョブと対応付けて前記記憶部に記憶されている前記処理情報が示す処理以降の処理を前記実行部に実行させることが好ましい。
【００１２】
本構成によれば、キャンセルされたジョブを再実行させる場合、当該ジョブの実行がキャンセルされたときに実行されていた処理以降の処理を実行させる。これにより、キャンセルされたジョブを、当該ジョブを構成する処理のうち最初の処理から再実行させる場合に比して、当該再実行に要する処理時間を軽減することができる。
【００１３】
また、ユーザーをログイン及びログアウトさせるログイン管理部を更に備え、前記復帰表示部は、前記ログインしているユーザーによって入力された前記キャンセルジョブを前記選択表示欄に表示するようにしてもよい。
【００１４】
本構成によれば、ログインユーザーが、選択表示欄に表示されたキャンセルジョブの中から、当該ログインユーザーとは他のユーザーによって入力されたキャンセルジョブを誤って選択する虞を軽減することができる。これにより、ログインユーザーが、他のユーザーによって入力されたキャンセルジョブを誤って選択し、当該誤って選択したキャンセルジョブを当該他のユーザーの許可なく、再実行する虞を軽減することができる。
【００１５】
また、前記記憶部に記憶されている前記キャンセルジョブを削除する削除処理を予め定められたタイミングで実行する削除処理部を更に備えることが好ましい。
【００１６】
本構成によれば、予め定められたタイミングで記憶部に記憶されたキャンセルジョブが削除される。このため、再実行される可能性の低いキャンセルジョブが、削除されずに記憶部に記憶されたままの状態となることで、記憶部に記憶可能なデータ量が無駄に少なくなる虞を軽減することができる。
【００１７】
また、ユーザーによる前記タイミングの入力を受け付ける時期受付部を更に備えることが好ましい。
【００１８】
本構成によれば、ユーザーに、削除処理部に削除処理を実行させるタイミングを入力させることができる。これにより、ユーザーの意図したタイミングで削除処理部に削除処理を実行させることができる。
【００１９】
また、前記ジョブ制御装置の消費電力を抑制するスリープモードと、前記消費電力を抑制しない通常モードとの間で、電力モードを切り替えるモード切替部を更に備え、前記削除処理部は、前記電力モードが前記スリープモードに切り替えられたタイミングで前記削除処理を実行してもよい。
【００２０】
電力モードがスリープモードに切り替えられた場合、ジョブ制御装置は、消費電力が抑制された状態になる。つまり、この場合、記憶部に記憶されているキャンセルジョブが再実行される虞は低いと考えられる。
【００２１】
本構成によれば、電力モードがスリープモードに切り替えられ、記憶部に記憶されているキャンセルジョブが再実行される虞が低いと考えられるタイミングで、削除処理部に削除処理を実行させる。これにより、再実行される虞が低いと考えられるキャンセルジョブを適切に削除することができる。
【００２２】
また、前記ジョブ制御装置への電力の供給を遮断するスイッチ部を更に備え、前記削除処理部は、前記スイッチ部により前記電力の供給が遮断されたタイミングで前記削除処理を実行してもよい。
【００２３】
ジョブ制御装置への電力の供給が遮断された場合、ジョブ制御装置は近いうちに動作できない状態になる。つまり、この場合、記憶部に記憶されているキャンセルジョブが再実行される虞は低いと考えられる。
【００２４】
本構成によれば、ジョブ制御装置への電力の供給が遮断され、記憶部に記憶されているキャンセルジョブが再実行される虞が低いと考えられるタイミングで、削除処理部に削除処理を実行させる。これにより、再実行される虞が低いと考えられるキャンセルジョブを適切に削除することができる。
【００２５】
また、前記ジョブの入力を受け付けるジョブ受付部と、画像を出力する画像出力部と、を更に備え、前記削除処理部は、前記画像出力部に画像を出力させる画像出力ジョブが前記ジョブ受付部により受け付けられた場合、前記削除処理において、当該画像出力ジョブが出力対象とする画像と同じ画像を前記画像出力部に出力させる前記キャンセルジョブを削除してもよい。
【００２６】
キャンセルジョブが画像出力部に出力させる画像と同じ画像を出力対象とする画像出力ジョブが受け付けられた場合、当該画像出力ジョブが実行部によって実行されるので、当該キャンセルジョブが再実行される虞は低いと考えられる。
【００２７】
本構成によれば、キャンセルジョブが画像出力部に出力させる画像と同じ画像を出力対象とする画像出力ジョブが受け付けられ、当該キャンセルジョブが再実行される虞が低くなったと考えられるタイミングで、削除処理部により削除処理が実行され、当該キャンセルジョブが削除される。これにより、再実行される虞が低いと考えられるキャンセルジョブを適切に削除することができる。
【００２８】
また、ユーザーをログイン及びログアウトさせるログイン管理部を更に備え、前記削除処理部は、前記ログイン管理部がユーザーをログアウトさせたタイミングで前記削除処理を実行し、当該削除処理において、当該ログアウトされたユーザーによって入力された前記キャンセルジョブを削除することが好ましい。
【００２９】
ログイン管理部によりログアウトされ、複合機１にログインしていないユーザーが、自身が入力したキャンセルジョブを再実行する虞は低いと考えられる。
【００３０】
本構成によれば、ログイン管理部によりログアウトされたユーザーが、自身が入力したキャンセルジョブを再実行する虞が低くなったと考えられるタイミングで、削除処理部により削除処理が実行され、当該キャンセルジョブが削除される。これにより、再実行される虞が低いと考えられるキャンセルジョブを適切に削除することができる。
【発明の効果】
【００３１】
この発明によれば、キャンセルしたジョブを容易に再実行することができるジョブ制御装置を提供することができる。
【図面の簡単な説明】
【００３２】
【図１】本発明のジョブ制御装置の一実施形態に係る複合機の電気的構成を示すブロック図である。
【図２】本発明に係る第一操作画面の一実施形態に係る実行画面の一例を示す図である。
【図３】記憶部に記憶されたキャンセルジョブの一例を示す図である。
【図４】ホーム画面の一例を示す図である。
【図５】本発明に係る第二操作画面の一実施形態に係るジョブ状況確認画面の一例を示す図である。
【図６】タイミング設定画面の一例を示す図である。
【図７】実行中のジョブの実行をキャンセルする動作を示すフローチャートである。
【図８】キャンセルジョブを再実行する動作を示すフローチャートである。
【図９】記憶部に記憶されているキャンセルジョブを削除する動作を示すフローチャートである。
【発明を実施するための形態】
【００３３】
以下、本発明に係るジョブ制御装置の一実施形態を図面に基づいて説明する。尚、本実施形態では、ジョブ制御装置として複合機を例に説明するが、これに限定する趣旨ではない。ジョブ制御装置は、例えば、ファクシミリ装置、コピー機、又はプリンター等の画像形成装置や、情報処理サーバー等、所定のジョブを実行する電子機器であってもよい。
【００３４】
図１は、本発明のジョブ制御装置の一実施形態に係る複合機１の電気的構成を示すブロック図である。図１に示すように、複合機１は、スイッチ部９と、電源部３と、操作部４と、通信部５と、切替スイッチ部９１と、画像読取部６と、画像形成部７（画像出力部）と、記憶部８と、制御部１０と、を備えている。
【００３５】
スイッチ部９は、商用電源等の外部電源Ｅから供給される電力の複合機１への供給と遮断とを切り替える。スイッチ部９は、ユーザーの操作によってオン状態（閉状態）又はオフ状態（開状態）に切り替えられるスイッチである。スイッチ部９がユーザーの操作によってオン状態に切り替えられると、外部電源Ｅから供給される電力が電源ケーブルＬを介して電源部３へ供給される。スイッチ部９がユーザーの操作によってオフ状態に切り替えられると、外部電源Ｅから電源部３への電力の供給が遮断される。
【００３６】
電源部３は、外部電源Ｅから供給された電力を、図略のＡＣ／ＤＣコンバーター等を用いて、複合機１内の各部の動作に用いられる所定レベルの電源電圧に変換する。
【００３７】
切替スイッチ部９１は、後述のモード切替部１１による制御の下、オンオフ（開閉）される二つのスイッチ９１６、９１７を備えている。
【００３８】
スイッチ９１６がオフ（開状態）にされると、電源部３から画像読取部６への電源電圧の供給が遮断される。スイッチ９１６がオン（閉状態）にされると、電源部３から画像読取部６へ電源電圧が供給される。同様に、スイッチ９１７がオフにされると、電源部３から画像形成部７への電源電圧の供給が遮断される。スイッチ９１７がオンにされると、電源部３から画像形成部７へ電源電圧が供給される。尚、操作部４、通信部５、記憶部８、制御部１０へは、電源部３からスイッチを介さずに電源電圧が供給される。
【００３９】
操作部４は、タッチパネル機能を有する液晶ディスプレイ等の情報を表示し且つタッチ操作可能な表示部４１と、ユーザーに各種操作を行わせるための操作キー部４２とを備えている。
【００４０】
通信部５は、ネットワーク５１に接続され、ネットワーク５１に接続されたパソコン等の外部装置との間で各種データを送受信する。
【００４１】
例えば、通信部５は、外部装置においてユーザーにより入力された後述のプリントジョブ等のジョブを示すデータを、ネットワーク５１を介して受信し、当該受信したデータを制御部１０へ出力する。以下では、ジョブを示すデータを単にジョブと略記する。ジョブの詳細については後述する。また、通信部５は、例えば、後述のスキャンジョブの実行により生成された画像データを、ネットワーク５１を介して外部装置へ送信する。
【００４２】
画像読取部６は、ＣＣＤ（Ｃｈａｒｇｅ  Ｃｏｕｐｌｅｄ  Ｄｅｖｉｃｅ）ラインセンサーや露光ランプ等を有する不図示の光学系ユニットを備えている。画像読取部６は、制御部１０による制御の下、スキャン処理を実行する。スキャン処理とは、光学系ユニットに原稿の画像を読み取らせ、原稿の画像を表す画像データを出力する処理である。
【００４３】
画像形成部７は、制御部１０による制御の下、プリント処理を実行する。プリント処理とは、制御部１０から入力された画像データが表す画像を用紙に形成（出力）する処理である。具体的には、画像形成部７は、感光体ドラムや、感光体ドラムに対向して順次配設された帯電部、露光部、現像部、及びクリーニング部等を備えた周知の構成を有する。
【００４４】
記憶部８は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置である。記憶部８には、ユーザーが複合機１にログインする場合に用いる後述の認証用データ等、複合機１の動作に必要な各種データが予め記憶されている。また、制御部１０によってジョブが実行されている場合に、当該ジョブを構成する各処理で用いるデータが記憶部８に読み書きされる。
【００４５】
制御部１０は、例えば、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不図示の不揮発性メモリーと、データを一時的に記憶するための不図示のＲＡＭ（Ｒａｎｄｏｍ  Ａｃｃｅｓｓ  Ｍｅｍｏｒｙ）と、これらの周辺回路等とを備えている。制御部１０は、不揮発性メモリー等に記憶された制御プログラムをＣＰＵによって実行することによって、複合機１内の各部の動作を制御する。
【００４６】
制御部１０は、例えば、モード切替部１１、ログイン管理部１２、ジョブ受付部１３、実行部１４、状況表示部１５、キャンセル部１６、一覧表示部１７（復帰表示部）、復帰制御部１８、削除処理部１９及び時期受付部２０として動作する。
【００４７】
モード切替部１１は、複合機１の消費電力を抑制するスリープモードと、消費電力を抑制しない通常モードとの間で、電力モードを切り替える。
【００４８】
具体的には、モード切替部１１は、複合機１の初期動作時や、電力モードがスリープモードの場合に操作部４を用いた操作が行われたときに、電力モードを通常モードに切り替える。モード切替部１１は、電力モードを通常モードに切り替える場合、スイッチ９１６、９１７をオンにし、電源部３から画像読取部６及び画像形成部７へ電源電圧を供給させる。これにより、画像読取部６及び画像形成部７における消費電力は抑制されなくなる。
【００４９】
一方、モード切替部１１は、電力モードが通常モードの場合に、所定の制限時間内に操作部４を用いた操作が行われないときは、電力モードをスリープモードに切り替える。モード切替部１１は、電力モードをスリープモードに切り替える場合、スイッチ９１６、９１７をオフにし、電源部３から画像読取部６及び画像形成部７への電源電圧の供給を遮断する。これにより、画像読取部６及び画像形成部７における消費電力が抑制される。
【００５０】
ログイン管理部１２は、ユーザーを複合機１にログインさせる。また、ログイン管理部１２は、複合機１にログインしているユーザー（以下、ログインユーザーと記載する）を複合機１からログアウトさせる。
【００５１】
具体的には、ログイン管理部１２は、不図示のログイン画面を表示部４１に表示し、ログイン画面においてユーザーにより入力されたユーザー名及びパスワードが、記憶部８に予め記憶されている認証用のユーザー名及びパスワードに一致している場合、当該ユーザーを複合機１にログインさせる。一方、ログインユーザーが存在する場合に、表示部４１に表示されている不図示のログアウトボタンがタッチ操作されると、ログイン管理部１２は、当該ログインユーザーを複合機１からログアウトさせる。尚、ログイン管理部１２が、ユーザーをログイン及びログアウトさせる方法は、これに限らず、他の周知の方法であってもよい。
【００５２】
ジョブ受付部１３は、複合機１において実行可能なジョブの入力を受け付ける。具体的には、ジョブ受付部１３は、ユーザーがジョブの設定用画面を用いてジョブを入力した場合、また、通信部５が外部装置から受信したジョブを制御部１０に入力した場合に、当該ジョブの入力を受け付ける。ジョブ受付部１３は、ジョブを受け付けると、当該ジョブを識別するためのジョブ番号と、当該ジョブの受付時刻と、当該ジョブと、を対応付けて記憶部８に記憶する。
【００５３】
複合機１で実行可能なジョブには、プリントジョブ（画像出力ジョブ）、スキャンジョブ及びコピージョブ等が含まれる。各ジョブには、ジョブの種類、当該ジョブを入力したユーザーのユーザー名、当該ジョブを識別するためのジョブ名、及び当該ジョブの実行条件を示すデータ（以下、実行条件と略記する）等が含まれる。
【００５４】
プリントジョブは、画像形成部７にプリント処理を実行させるジョブである。プリントジョブには、ジョブの種類「プリントジョブ」と当該プリントジョブを入力したユーザーのユーザー名とが含まれる。また、プリントジョブには、ジョブ名として、プリント処理において用紙に形成（出力）させる対象の画像を表す画像データからなる電子ファイルのファイル名が含まれる。また、プリントジョブには、プリント処理の実行時に用いる実行条件として、用紙に形成する対象の画像を表す画像データや出力する用紙の部数等が含まれる。
【００５５】
スキャンジョブは、画像読取部６にスキャン処理を実行させるジョブである。スキャンジョブには、ジョブの種類「スキャンジョブ」と当該スキャンジョブを入力したユーザーのユーザー名とが含まれる。また、スキャンジョブには、ジョブ名として、当該スキャンジョブの入力を終えた日時が含まれる。例えば、ＹＹＹＹ年ＭＭ月ＤＤ日ＨＨ時ＭＩ分ＳＳ秒に入力を終えたスキャンジョブには、ジョブ名「ＹＹＹＹＭＭＤＤＨＨＭＩＳＳ」が含まれる。また、スキャンジョブには、スキャン処理の実行時に用いる実行条件として、画像データの出力先や、出力する画像データを電子ファイル化するか否かや、出力する画像データを電子ファイル化したときの電子ファイルのファイル名等が含まれる。
【００５６】
コピージョブは、画像読取部６にスキャン処理を実行させた後、これに連続して、当該スキャン処理において出力された画像データを用いて画像形成部７にプリント処理を実行させるジョブである。コピージョブには、ジョブの種類「コピージョブ」と当該コピージョブを入力したユーザーのユーザー名とが含まれる。また、コピージョブには、ジョブ名として、スキャンジョブと同様に、当該コピージョブの入力を終えた日時が含まれる。また、コピージョブには、スキャン処理の実行時に用いる実行条件として、画像データの出力先を制御部１０とする情報や、出力する画像データを電子ファイル化しない情報等が含まれる。また、コピージョブには、プリント処理の実行時に用いる実行条件として、出力する用紙の部数や画像を用紙に形成するときの濃度等が含まれる。
【００５７】
実行部１４は、ジョブ受付部１３により受け付けられたジョブを順次実行する。
【００５８】
例えば、実行部１４は、出力する用紙の部数「５」を実行条件として含むプリントジョブを実行する場合、出力条件に含まれる画像データが表す画像を用紙に形成するプリント処理を画像形成部７に５回連続して行わせる。
【００５９】
また、実行部１４は、画像データの出力先として外部装置のＩＰアドレス「ＸＸ．ＸＸ．ＸＸ．ＸＸ」、出力する画像データを電子ファイル化することを示す「電子ファイル化する」、及びファイル名「ｄｏｃ１．ｔｘｔ」を実行条件として含むスキャンジョブを実行するとする。
【００６０】
この場合、実行部１４は、画像読取部６にスキャン処理を実行させ、当該スキャン処理において出力された画像データを電子ファイル化し、当該電子ファイルのファイル名を、当該スキャンジョブの実行条件に含まれるファイル名「ｄｏｃ１．ｔｘｔ」とする。そして、実行部１４は、通信部５に、当該スキャンジョブの実行条件に含まれるＩＰアドレス「ＸＸ．ＸＸ．ＸＸ．ＸＸ」が示す外部装置へ当該電子ファイルを送信させる。
【００６１】
また、実行部１４は、例えば、出力する用紙の部数「５」を実行条件として含むコピージョブを実行する場合は、画像読取部６にスキャン処理を実行させた後、これに連続して、当該スキャン処理において出力された画像データが表す画像を用紙に形成するプリント処理を画像形成部７に５回連続して行わせる。
【００６２】
状況表示部１５は、実行部１４により実行中のジョブに対応する実行画面Ｗ１（第一操作画面）を表示部４１に表示する。図２は、本発明に係る第一操作画面の一実施形態に係る実行画面Ｗ１の一例を示す図である。図２に示すように、実行画面Ｗ１には、表示欄Ａ１（第一表示欄）と、閉じるボタンＢ１１と、キャンセルボタンＢ１２（第一入力部）と、が設けられている。
【００６３】
表示欄Ａ１には、実行部１４により実行中のジョブの実行状況が表示される。表示欄Ａ１の上部には、実行中のジョブに含まれるジョブの種類を示す文字列、出力条件に含まれる用紙の部数、当該ジョブに対応するジョブ番号、当該ジョブに含まれるジョブ名及びユーザー名等が表示される。
【００６４】
図２の例では、実行中のコピージョブに含まれるジョブの種類「コピージョブ」を示す文字列「コピー中です。」、出力条件に含まれる用紙の部数「５」、ジョブ番号「００００２１」、ジョブ名「２０１５０２１０１０３０５０」、及びユーザー名「ｕｓｅｒＡ」が、表示欄Ａ１の上部に表示されている。
【００６５】
表示欄Ａ１の下部には、実行中のジョブの実行状況が表示される。具体的には、表示欄Ａ１の下部は、実行中のジョブを構成する処理の種類毎に分割され、処理の種類毎に処理の実行状況が表示される。
【００６６】
図２の例では、実行中のコピージョブを構成するスキャン処理とプリント処理との二種類の処理の実行状況を表示するため、表示欄Ａ１の下部が二つの領域に分割されている。表示欄Ａ１の下部の左側には、スキャン処理によって二ページの原稿の画像の読み取りが終了したことを示す読み込みページ数「２」が表示されている。表示欄Ａ１の下部の右側には、五部の用紙を出力するための５回のプリント処理のうち、二部目の用紙を出力するための２回目のプリント処理が実行されていることを示す部数「２／５」が表示されている。
【００６７】
閉じるボタンＢ１１は、実行画面Ｗ１の表示部４１への表示を終了するためのボタンである。閉じるボタンＢ１１が押下された場合、状況表示部１５は、実行画面Ｗ１の表示部４１への表示を終了する。
【００６８】
キャンセルボタンＢ１２は、実行中のジョブの実行をキャンセルさせるキャンセル指示が入力可能なボタンである。キャンセルボタンＢ１２押下時の動作については後述する。
【００６９】
図１に参照を戻す。キャンセル部１６は、実行画面Ｗ１のキャンセルボタンＢ１２の押下により、キャンセル指示が入力された場合、当該キャンセル指示に対応するジョブをキャンセルジョブとして記憶部８に記憶する。キャンセル指示に対応するジョブとは、実行画面Ｗ１の表示欄Ａ１に実行状況が表示されているジョブである。このとき、キャンセル部１６は、記憶部８に記憶したキャンセルジョブを構成する一以上の連続する処理のうち、当該キャンセルジョブの実行がキャンセルされたときに実行されていた処理を示す処理情報を当該キャンセルジョブと対応付けて記憶部８に記憶する。そして、キャンセル部１６は、実行部１４に当該キャンセルジョブの実行をキャンセルさせる。
【００７０】
図３は、記憶部８に記憶されたキャンセルジョブの一例を示す図である。具体的には、図３に示すように、記憶部８には、キャンセルジョブを記憶するためのキャンセルジョブテーブルＪＴが設けられている。キャンセルジョブテーブルＪＴは、キャンセルジョブに対応するジョブ番号と、キャンセルジョブに対応する受付時刻と、キャンセルジョブと、処理情報と、を対応付けて記憶可能となっている。
【００７１】
例えば、図２に示す実行画面Ｗ１のキャンセルボタンＢ１２の押下により、キャンセル指示が入力されたとする。この場合、図３に示すように、キャンセル部１６によって、実行中のコピージョブに対応するジョブ番号「００００２１」及び受付時刻「１０：３１」と、当該コピージョブと、処理情報「２／５プリント」と、がキャンセルジョブテーブルＪＴに記憶される。処理情報「２／５プリント」は、スキャン処理の終了後、これに連続する５回のプリント処理のうち２回目のプリント処理が実行されていたことを示している。
【００７２】
尚、図３は、これと同様にして、ジョブ番号「００００３２」及び受付時刻「１５：３１」に対応するスキャンジョブを構成するスキャン処理の実行中にキャンセル指示が入力され、当該スキャンジャブがキャンセルジョブとしてキャンセルジョブテーブルＪＴに記憶された例を示している。
【００７３】
更に、図３は、ジョブ番号「００００４３」及び受付時刻「１７：００」に対応するプリントジョブを構成する２回のプリント処理が何れも実行されていない場合に、後述のジョブ状況確認画面Ｗ２を用いてキャンセル指示が入力されたとき、キャンセル部１６によって、当該プリントジョブがキャンセルジョブとしてキャンセルジョブテーブルＪＴに記憶された例を示している。当該プリントジョブを構成する２回のプリント処理は何れも実行されていないので、０回目のプリント処理が実行されている状況を示す処理情報「０／２プリント」がキャンセルジョブテーブルＪＴに記憶されている。
【００７４】
図１に参照を戻す。一覧表示部１７は、キャンセルジョブを再実行させる操作が可能なジョブ状況確認画面（第二操作画面）を表示部４１に表示する。
【００７５】
具体的には、ログイン管理部１２がユーザーをログインさせた直後や表示部４１への各操作画面の表示が終了した場合、図４に示すホーム画面ＷＨが制御部１０によって表示部４１に表示される。図４は、ホーム画面ＷＨの一例を示す図である。図４に示すように、ホーム画面ＷＨには、ユーザー名表示欄ＡＨ１と、ログアウトボタンＢＨ１と、メニュー表示欄ＡＨ２と、が設けられている。
【００７６】
ユーザー名表示欄ＡＨ１には、ログインユーザーに対応するユーザー名が表示される。図４の例では、ユーザー名表示欄ＡＨ１に、ログインユーザーに対応するユーザー名「ｕｓｅｒＡ」が表示されている。ログアウトボタンＢＨ１は、ログイン管理部１２にログインユーザーをログアウトさせるログアウト指示が入力可能なボタンである。メニュー表示欄ＡＨ２には、複数の操作画面をそれぞれ表示するための複数のボタンが表示される。メニュー表示欄ＡＨ２には、例えば、後述のジョブ状況確認画面Ｗ２を表示するための状況確認ボタンＢＨ２やシステム設定画面を表示するためのボタンＢＨ３等が表示される。
【００７７】
一覧表示部１７は、状況確認ボタンＢＨ２が押下された場合に、図５に示すジョブ状況確認画面Ｗ２を表示部４１に表示する。図５は、本発明に係る第二操作画面の一実施形態に係るジョブ状況確認画面Ｗ２の一例を示す図である。図５に示すように、ジョブ状況確認画面Ｗ２には、未完ジョブ一覧タブＴ２１、全ジョブ一覧タブＴ２２、及び閉じるボタンＢ２１が設けられている。
【００７８】
未完ジョブ一覧タブＴ２１は、未完ジョブ表示指示が入力可能なタブキーである。未完ジョブ表示指示とは、実行部１４による実行が完了していないジョブである未完ジョブのうち、ログインユーザーによって入力された未完ジョブを選択可能に一覧表示させる指示である。未完ジョブには、記憶部８に記憶されているキャンセルジョブ及び実行部１４によって実行されていないジョブである未実行ジョブが含まれる。
【００７９】
未完ジョブ一覧タブＴ２１が押下された場合、一覧表示部１７によって、ジョブ状況確認画面Ｗ２内に、選択表示欄Ａ２１とキャンセルボタンＢ２２と再実行ボタンＢ２３（第二入力部）と詳細ボタンＢ２４とが表示される。
【００８０】
選択表示欄Ａ２１には、未完ジョブが選択可能に一覧表示される。選択表示欄Ａ２１には、ジョブ番号表示欄Ｃ２１、受付時刻表示欄Ｃ２２、ジョブ種類表示欄Ｃ２３、ジョブ名表示欄Ｃ２４、ユーザー名表示欄Ｃ２５、及び状況表示欄Ｃ２６が設けられている。
【００８１】
ジョブ番号表示欄Ｃ２１には、ログインユーザーによって入力された未完ジョブに対応するジョブ番号が表示される。受付時刻表示欄Ｃ２２には、ログインユーザーによって入力された未完ジョブに対応する受付時刻が表示される。ジョブ種類表示欄Ｃ２３には、ログインユーザーによって入力された未完ジョブに含まれるジョブの種類を表すアイコンが表示される。ジョブ名表示欄Ｃ２４には、ログインユーザーによって入力された未完ジョブに含まれるジョブ名が表示される。ユーザー名表示欄Ｃ２５には、ログインユーザーによって入力された未完ジョブに含まれるユーザー名が表示される。
【００８２】
状況表示欄Ｃ２６には、表示対象の未完ジョブがキャンセルジョブである場合、当該未完ジョブと対応付けて記憶部８に記憶されている処理情報が表示される。一方、表示対象の未完ジョブが未実行ジョブである場合、当該未完ジョブはキャンセルジョブとして記憶部８に記憶されていない。このため、表示対象の未完ジョブが未実行ジョブである場合、状況表示欄Ｃ２６には、処理情報「未実行」が表示される。
【００８３】
図５は、ログインユーザーがユーザー名「ｕｓｅｒＡ」に対応するユーザーである場合に、当該ユーザーが入力したキャンセルジョブとしてのコピージョブ及び未実行ジョブとしてのプリントジョブが、選択表示欄Ａ２１に一覧表示された例を示している。尚、当該コピージョブは、図３に例示したものである。
【００８４】
上記コピージョブのジョブ番号表示欄Ｃ２１には、当該コピージョブに対応するジョブ番号「００００２１」が表示されている。受付時刻表示欄Ｃ２２には、当該コピージョブに対応する受付時刻「１０：３１」が表示されている。ジョブ種類表示欄Ｃ２３には、当該コピージョブに含まれるジョブの種類「コピージョブ」を表すアイコンが表示されている。ジョブ名表示欄Ｃ２４には、当該コピージョブに含まれるジョブ名「２０１５０２１０１０３０５０」が表示され、ユーザー名表示欄Ｃ２５には、ユーザー名「ｕｓｅｒＡ」が表示されている。状況表示欄Ｃ２６には、当該コピージョブと対応付けてキャンセルジョブテーブルＪＴに記憶されている処理情報「２／５プリント」が表示されている。
【００８５】
同様に、上記プリントジョブのジョブ番号表示欄Ｃ２１には、当該プリントジョブに対応するジョブ番号「００００４３」、受付時刻表示欄Ｃ２２には、受付時刻「１７：００」が表示されている。ジョブ種類表示欄Ｃ２３には、当該プリントジョブに含まれるジョブの種類「プリントジョブ」を表すアイコンが表示されている。ジョブ名表示欄Ｃ２４には、当該プリントジョブに含まれるジョブ名「ｄｏｃ1.ｔｘｔ」、ユーザー名表示欄Ｃ２５には、当該プリントジョブに含まれるユーザー名「ｕｓｅｒＡ」が表示されている。状況表示欄Ｃ２６には、当該プリントジョブが未実行ジョブであるため、処理情報「未実行」が表示されている。
【００８６】
キャンセルボタンＢ２２は、選択表示欄Ａ２１において選択された未実行ジョブの実行をキャンセルさせるキャンセル指示が入力可能なボタンである。選択表示欄Ａ２１に表示されているキャンセルジョブは、既にキャンセルジョブとして記憶部８に記憶されている。このため、選択表示欄Ａ２１においてキャンセルジョブが選択された場合、一覧表示部１７はキャンセルボタンＢ２２を押下できないようにする（グレー表示する）。
【００８７】
キャンセルボタンＢ２２の押下により、キャンセル指示が入力された場合、キャンセル部１６は、実行画面Ｗ１のキャンセルボタンＢ１２を用いてキャンセル指示が入力された場合と同様に、当該入力されたキャンセル指示に対応する未実行ジョブをキャンセルジョブとして記憶部８に記憶する。キャンセル指示に対応する未実行ジョブとは、選択表示欄Ａ２１において選択された未実行ジョブである。そして、キャンセル部１６は、実行部１４に当該未実行ジョブの実行をキャンセルさせる。
【００８８】
例えば、図５に例示したプリントジョブが選択された後、キャンセルボタンＢ２２が押下されたとする。また、当該プリントジョブでは２回のプリント処理が行われるものとする。この場合、キャンセル部１６は、実行画面Ｗ１のキャンセルボタンＢ１２を用いてキャンセル指示が入力された場合と同様、図３に例示しているように、当該プリントジョブをキャンセルジョブとして記憶部８に記憶する。この場合、キャンセル部１６は、当該プリントジョブを構成する２回のプリント処理のうち、何れの処理も実行されていない状況を示す処理情報「０／２プリント」を記憶する。
【００８９】
再実行ボタンＢ２３は、選択表示欄Ａ２１において選択されたキャンセルジョブを実行部１４に実行させる復帰指示が入力可能なボタンである。選択表示欄Ａ２１に表示されている未実行ジョブは、実行部１４によって何れ実行される。このため、選択表示欄Ａ２１において未実行ジョブが選択された場合、一覧表示部１７は再実行ボタンＢ２３を押下できないようにする（グレー表示する）。再実行ボタンＢ２３押下時の動作については後述する。
【００９０】
詳細ボタンＢ２４は、選択表示欄Ａ２１において選択された未完ジョブに含まれている実行条件を不図示のダイアログに表示するためのボタンである。
【００９１】
全ジョブ一覧タブＴ２２は、ジョブ受付部１３により受け付けられた全てのジョブをジョブ状況確認画面Ｗ２内に一覧表示させる全ジョブ表示指示が入力可能なタブキーである。全ジョブ一覧タブＴ２２が押下された場合、一覧表示部１７は、ジョブ受付部１３により受け付けられた全てのジョブをジョブ状況確認画面Ｗ２内に一覧表示する。
【００９２】
閉じるボタンＢ２１は、ジョブ状況確認画面Ｗ２の表示部４１への表示を終了するためのボタンである。閉じるボタンＢ２１が押下された場合、一覧表示部１７は、ジョブ状況確認画面Ｗ２の表示部４１への表示を終了する。
【００９３】
図１に参照を戻す。復帰制御部１８は、ジョブ状況確認画面Ｗ２の再実行ボタンＢ２３の押下により、復帰指示が入力された場合、当該復帰指示に対応するキャンセルジョブを実行部１４に実行させる。復帰指示に対応するキャンセルジョブとは、選択表示欄Ａ２１において選択されたキャンセルジョブである。そして、復帰制御部１８は、当該キャンセルジョブを記憶部８から削除する。
【００９４】
尚、復帰制御部１８は、復帰指示に対応するキャンセルジョブを実行部１４に実行させる場合、当該キャンセルジョブと対応付けて記憶部８に記憶されている処理情報を取得し、当該取得した処理情報が示す処理以降の処理を実行部１４に実行させる。
【００９５】
例えば、図５に例示したコピージョブが選択された後、再実行ボタンＢ２３が押下され、復帰指示が入力されたとする。この場合、復帰制御部１８は、当該復帰指示に対応する上記コピージョブと対応付けて記憶部８に記憶されている処理情報「２／５プリント」を取得する。この場合、復帰制御部１８は、当該コピージョブを構成する５回のプリント処理のうち、２回目のプリント処理以降の処理を実行部１４に実行させる。
【００９６】
そして、復帰制御部１８は、当該コピージョブと、当該コピージョブと対応付けられたジョブ番号、受付時刻、及び処理情報をキャンセルジョブテーブルＪＴから削除する。これにより、復帰制御部１８は、キャンセルジョブとしての当該コピージョブを記憶部８から削除する。
【００９７】
また、ジョブ状況確認画面Ｗ２のキャンセルボタンＢ２２の押下により、図５に例示したプリントジョブが上述のようにキャンセルジョブとして記憶部８に記憶されたとする。その後、当該プリントジョブがキャンセルジョブとして選択表示欄Ａ２１に表示され、当該プリントジョブが選択された後、再実行ボタンＢ２３が押下されたとする。
【００９８】
この場合、復帰制御部１８は、当該プリントジョブと対応付けて記憶部８に記憶されている処理情報「０／２プリント」を取得し、当該プリントジョブを構成する２回のプリント処理のうち、０回目のプリント処理以降の処理を実行部１４に実行させる。つまり、復帰制御部１８は、未実行ジョブがキャンセルジョブとして記憶された後、当該キャンセルジョブを再実行させる場合、当該キャンセルジョブを構成する全ての処理を実行させる。
【００９９】
図１に参照を戻す。削除処理部１９は、記憶部８に記憶されているキャンセルジョブを削除する削除処理を予め定められたタイミングで実行する。削除処理部１９は、削除処理において、キャンセルジョブと当該キャンセルジョブと対応付けられたジョブ番号、受付時刻及び処理情報とをキャンセルジョブテーブルＪＴから削除する。これにより、削除処理部１９は、記憶部８に記憶されている当該キャンセルジョブを削除する。
【０１００】
時期受付部２０は、ユーザーによる、削除処理部１９が削除処理を実行するタイミングの入力を受け付ける。以下、削除処理部１９が削除処理を実行するタイミングを削除タイミングと記載する。
【０１０１】
以下、削除処理部１９及び時期受付部２０の詳細について説明する。図６は、タイミング設定画面Ｗ３の一例を示す図である。具体的には、ホーム画面ＷＨ（図４）のメニュー表示欄ＡＨ２に表示されたボタンＢＨ３が押下された場合、制御部１０はシステム設定画面を表示部４１に表示する。システム設定画面には、タイミング設定画面Ｗ３を表示するためのタイミング設定ボタンが設けられている。タイミング設定ボタンが押下されると、時期受付部２０は、図６に示すタイミング設定画面Ｗ３を表示する。
【０１０２】
図６に示すように、タイミング設定画面Ｗ３には、６個のチェックボックスＣ３１〜Ｃ３６と閉じるボタンＢ３１とが設けられている。各チェックボックスＣ３１〜Ｃ３６は、ユーザーによるタッチ操作が行われる度に、選択された状態と選択されていない状態とが切り替わる。このようにして、６個のチェックボックスＣ３１〜Ｃ３６の中から複数のチェックボックスが選択可能となっている。
【０１０３】
また、タイミング設定画面Ｗ３には、チェックボックスＣ３５に対応付けて時刻の入力欄Ｔ５が設けられ、チェックボックスＣ３６に対応付けて時間間隔の入力欄Ｔ６が設けられている。図６は、１８時を示す「１８：００」が入力欄Ｔ５に入力され、１時間３０分００秒を示す「０１：３０：００」が入力欄Ｔ６に入力された例を示している。
【０１０４】
チェックボックスＣ３１は、ログイン管理部１２がログインユーザーをログアウトさせたときを削除タイミングに含める第一指示が入力可能となっている。チェックボックスＣ３１が選択された場合、時期受付部２０は第一指示の入力を受け付ける。この場合、削除処理部１９は、ログイン管理部１２がログインユーザーをログアウトさせたタイミングで削除処理を実行するようになる。以下、ログイン管理部１２がログインユーザーをログアウトさせたタイミングで削除処理部１９が実行する削除処理を第一削除処理と記載する。
【０１０５】
チェックボックスＣ３２は、モード切替部１１によって電力モードがスリープモードに切り替えられたときを削除タイミングに含める第二指示が入力可能となっている。チェックボックスＣ３２が選択された場合、時期受付部２０は第二指示の入力を受け付ける。この場合、削除処理部１９は、電力モードがスリープモードに切り替えられたタイミングで削除処理を実行するようになる。以下、削除処理部１９が電力モードがスリープモードに切り替えられたタイミングで実行する削除処理を第二削除処理と記載する。
【０１０６】
チェックボックスＣ３３は、スイッチ部９がオフ状態に切り替えられたとき、つまり、スイッチ部９により複合機１への電力の供給が遮断されたときを削除タイミングに含める第三指示が入力可能となっている。チェックボックスＣ３３が選択された場合、時期受付部２０は、第三指示の入力を受け付ける。この場合、削除処理部１９は、スイッチ部９により複合機１への電力の供給が遮断されたタイミングで削除処理を実行するようになる。以下、削除処理部１９がスイッチ部９により複合機１への電力の供給が遮断されたタイミングで実行する削除処理を第三削除処理と記載する。
【０１０７】
チェックボックスＣ３４は、ジョブ受付部１３によってジョブが受け付けられたときを削除タイミングに含める第四指示が入力可能となっている。チェックボックスＣ３４が選択された場合、時期受付部２０は第四指示の入力を受け付ける。この場合、削除処理部１９は、ジョブ受付部１３によってジョブが受け付けられたタイミングで削除処理を実行するようになる。以下、削除処理部１９がジョブ受付部１３によってジョブが受け付けられたタイミングで実行する削除処理を第四削除処理と記載する。
【０１０８】
チェックボックスＣ３５は、ユーザーにより入力欄Ｔ５に入力された時刻を削除タイミングに含める第五指示が入力可能となっている。入力欄Ｔ５に時刻が入力され且つチェックボックスＣ３５が選択された場合、時期受付部２０は、入力欄Ｔ５に入力された時刻及び第五指示の入力を受け付ける。この場合、削除処理部１９は、入力欄Ｔ５に入力された時刻に削除処理を実行するようになる。以下、削除処理部１９が入力欄Ｔ５に入力された時刻に実行する削除処理を第五削除処理と記載する。
【０１０９】
チェックボックスＣ３６は、第六指示が入力可能となっている。第六指示とは、予め定められた基準時点から、ユーザーにより入力欄Ｔ６に入力された時間間隔おきに時系列に並ぶ複数のタイミングを削除タイミングに含める指示である。尚、基準時点は、例えば、電源電圧の供給を受けて制御部１０が動作を開始したときや、モード切替部１１により、電力モードが通常モードに切り替えられたとき等に定められている。
【０１１０】
入力欄Ｔ６に時間間隔が入力され且つチェックボックスＣ３６が選択された場合、時期受付部２０は、入力欄Ｔ６に入力された時間間隔及び第六指示の入力を受け付ける。この場合、削除処理部１９は、基準時点から入力欄Ｔ６に入力された時間間隔おきに時系列に並ぶ複数のタイミングで削除処理を実行するようになる。つまり、削除処理部１９は、基準時点から時間間隔が経過する度に定期的に削除処理を実行するようになる。以下、削除処理部１９が基準時点から入力欄Ｔ６に入力された時間間隔が経過する度に実行する削除処理を第六削除処理と記載する。第一乃至第六削除処理の詳細については後述する。
【０１１１】
閉じるボタンＢ３１は、タイミング設定画面Ｗ３の表示部４１への表示を終了するためのボタンである。閉じるボタンＢ３１が押下された場合、時期受付部２０は、タイミング設定画面Ｗ３の表示部４１への表示を終了する。
【０１１２】
以下、実行中のジョブの実行をキャンセルする動作について説明する。図７は、実行中のジョブの実行をキャンセルする動作を示すフローチャートである。
【０１１３】
図７に示すように、実行部１４がジョブ受付部１３により受け付けられたジョブの実行を開始すると（Ｓ１）、状況表示部１５は、当該実行中のジョブに対応する実行画面Ｗ１（図２）を表示部４１に表示する（Ｓ２）。このとき、状況表示部１５は、実行画面Ｗ１の表示欄Ａ１に当該実行中のジョブの実行状況を表示する。
【０１１４】
当該実行中のジョブが終了していない場合に（Ｓ３；ＮＯ）、実行画面Ｗ１のキャンセルボタンＢ１２が押下され、キャンセル指示が入力されたとする（Ｓ４；ＹＥＳ）。
【０１１５】
この場合、キャンセル部１６は、当該実行中のジョブをキャンセルジョブとし、当該キャンセルジョブに対応するジョブ番号及び受付時刻と当該キャンセルジョブと処理情報とをキャンセルジョブテーブルＪＴに記憶する。これにより、キャンセル部１６は、当該実行中のジョブをキャンセルジョブとして記憶部８に記憶する（Ｓ５）。そして、キャンセル部１６は、実行部１４に当該ジョブの実行をキャンセルさせる（Ｓ６）。その後は、ステップＳ１に戻り、ジョブ受付部１３により受け付けられた次のジョブの実行が開始され、ステップＳ２以降の処理が実行される。
【０１１６】
当該実行中のジョブが終了した場合は（Ｓ３；ＹＥＳ）、ステップＳ１に戻り、ジョブ受付部１３により受け付けられた次のジョブの実行が開始され、ステップＳ２以降の処理が実行される。
【０１１７】
次に、キャンセルジョブを再実行する動作について説明する。図８は、キャンセルジョブを再実行する動作を示すフローチャートである。
【０１１８】
図８に示すように、ログイン管理部１２がユーザーをログインさせると（Ｓ２１）、制御部１０は、ホーム画面ＷＨ（図４）を表示部４１に表示する（Ｓ２２）。そして、ログインユーザーがログイン管理部１２によってログアウトされない間（Ｓ２３；ＮＯ）、ステップＳ２４以降の処理が実行される。
【０１１９】
ホーム画面ＷＨの状況確認ボタンＢＨ２が押下されると（Ｓ２４；ＹＥＳ）、一覧表示部１７は、ジョブ状況確認画面Ｗ２（図５）を表示部４１に表示する（Ｓ２５）。一覧表示部１７は、ジョブ状況確認画面Ｗ２を表示する当初は、未完ジョブ一覧タブＴ２１を押下した状態にし、ログインユーザーによって入力された未完ジョブを選択表示欄Ａ２１に表示し、キャンセルボタンＢ２２、再実行ボタンＢ２３、詳細ボタンＢ２４及び閉じるボタンＢ２１を表示する。
【０１２０】
そして、閉じるボタンＢ２１が押下されていない場合に（Ｓ２６；ＮＯ）、選択表示欄Ａ２１に表示された未完ジョブの中からキャンセルジョブが選択された後（Ｓ２７）、再実行ボタンＢ２３が押下され、復帰指示が入力されたとする（Ｓ２８；復帰指示）。
【０１２１】
この場合、復帰制御部１８は、当該復帰指示に対応するキャンセルジョブと対応付けてキャンセルジョブテーブルＪＴに記憶されている処理情報を取得し、当該処理情報が示す処理以降の処理を実行部１４に実行させる（Ｓ２９）。そして、復帰制御部１８は、当該キャンセルジョブと当該キャンセルジョブに対応するジョブ番号、受付時刻及び処理情報とをキャンセルジョブテーブルＪＴから削除する。これにより、復帰制御部１８は、当該キャンセルジョブを記憶部８から削除する（Ｓ３０）。その後は、ステップＳ２６以降の処理が実行される。
【０１２２】
一方、選択表示欄Ａ２１に表示された未完ジョブの中から未実行ジョブが選択された後（Ｓ２７）、キャンセルボタンＢ２２が押下され、キャンセル指示が入力されたとする（Ｓ２８；キャンセル指示）。
【０１２３】
この場合、キャンセル部１６は、当該キャンセル指示に対応する未実行ジョブと、当該未実行ジョブに対応するジョブ番号及び受付時刻と、当該未実行ジョブを構成する一以上の連続する処理のうち、何れの処理も実行されていない状況を示す処理情報と、を対応付けてキャンセルジョブテーブルＪＴに記憶する。これにより、キャンセル部１６は、当該キャンセル指示に対応する未実行ジョブをキャンセルジョブとして記憶部８に記憶する（Ｓ３２）。そして、キャンセル部１６は、実行部１４に当該キャンセルジョブの実行をキャンセルさせる（Ｓ３３）。その後は、ステップＳ２６以降の処理が実行される。
【０１２４】
閉じるボタンＢ２１が押下された場合（Ｓ２６；ＹＥＳ）、一覧表示部１７は、ジョブ状況確認画面Ｗ２の表示部４１への表示を終了する（Ｓ３１）。その後は、ステップＳ２２以降の処理が繰り返される。
【０１２５】
次に、記憶部８に記憶されているキャンセルジョブを削除する動作について説明する。図９は、記憶部８に記憶されているキャンセルジョブを削除する動作を示すフローチャートである。
【０１２６】
図９に示すように、削除処理部１９は、時期受付部２０によって受け付けられた削除タイミングになると（Ｓ４１；ＹＥＳ）、当該削除タイミングが、ログイン管理部１２がログインユーザーをログアウトさせたタイミングであるときは（Ｓ４２；ＹＥＳ）、第一削除処理を実行する。削除処理部１９は、第一削除処理においては、記憶部８に記憶されているキャンセルジョブのうち、ログアウトされたユーザーによって入力されたキャンセルジョブを削除する（Ｓ４３）。その後は、ステップＳ４１以降の処理が実行される。
【０１２７】
例えば、図３に示すように、記憶部８に三個のキャンセルジョブが記憶されている場合に、ユーザー名「ｕｓｅｒＡ」に対応するログインユーザーがログアウトされ、削除処理部１９が第一削除処理を実行したとする。
【０１２８】
この場合、削除処理部１９は、ユーザー名「ｕｓｅｒＡ」に対応するユーザーが入力したジョブ番号「００００２１」に対応するコピージョブと、当該コピージョブに対応するジョブ番号、受付時刻及び処理情報と、をキャンセルジョブテーブルＪＴから削除する。また、削除処理部１９は、ユーザー名「ｕｓｅｒＡ」に対応するユーザーが入力したジョブ番号「００００４３」に対応するプリントジョブと、当該プリントジョブに対応するジョブ番号、受付時刻及び処理情報と、をキャンセルジョブテーブルＪＴから削除する。これにより、削除処理部１９は、ユーザー名「ｕｓｅｒＡ」に対応するユーザーが入力したコピージョブ及びプリントジョブを記憶部８から削除する。
【０１２９】
削除タイミングが、モード切替部１１によって電力モードがスリープモードに切り替えられたタイミングであるときは（Ｓ４２；ＮＯ、Ｓ４４；ＹＥＳ）、削除処理部１９は、第二削除処理を実行する。削除処理部１９は、第二削除処理においては、キャンセルジョブテーブルＪＴに記憶されている全てのキャンセルジョブと、全てのキャンセルジョブに対応するジョブ番号、受付時刻及び処理情報と、を削除する。これにより、削除処理部１９は、記憶部８に記憶されている全てのキャンセルジョブを削除する（Ｓ５０）。その後は、ステップＳ４１以降の処理が実行される。
【０１３０】
削除タイミングが、スイッチ部９により複合機１への電力の供給が遮断されたタイミングであるときは（Ｓ４２；ＮＯ、Ｓ４４；ＮＯ、Ｓ４５；ＹＥＳ）、削除処理部１９は、第三削除処理を実行する。削除処理部１９は、第三削除処理においては、制御部１０内のコンデンサー等の蓄電可能な電気素子に蓄電された電力を用いてステップＳ５０を実行する。
【０１３１】
削除タイミングが、ユーザーによりタイミング設定画面Ｗ３を用いて入力された時刻であるときは（Ｓ４２；ＮＯ、Ｓ４４；ＮＯ、Ｓ４５；ＮＯ、Ｓ４６；ＹＥＳ）、削除処理部１９は、第五削除処理を実行する。削除処理部１９は、第五削除処理においては、ステップＳ５０を実行する。
【０１３２】
削除タイミングが、上記基準時点からユーザーによりタイミング設定画面Ｗ３を用いて入力された時間間隔おきに時系列に並ぶ複数のタイミングのうちの何れかのタイミングであるときは（Ｓ４２；ＮＯ、Ｓ４４；ＮＯ、Ｓ４５；ＮＯ、Ｓ４６；ＮＯ、Ｓ４７；ＹＥＳ）、削除処理部１９は、第六削除処理を実行する。削除処理部１９は、第六削除処理においては、ステップＳ５０を実行する。
【０１３３】
削除タイミングが、ジョブ受付部１３によってジョブが受け付けられたタイミングであるときは（Ｓ４２；ＮＯ、Ｓ４４；ＮＯ、Ｓ４５；ＮＯ、Ｓ４６；ＮＯ、Ｓ４７；ＮＯ、Ｓ４８；ＹＥＳ）、削除処理部１９は、第四削除処理を実行する。
【０１３４】
削除処理部１９は、第四削除処理においては、受け付けられたジョブがプリントジョブである場合にのみ、記憶部８に記憶されているキャンセルジョブのうち、当該受け付けられたプリントジョブが形成（出力）対象とする画像と同じ画像を形成対象とするプリントジョブを削除する（Ｓ４９）。その後は、ステップＳ４１以降の処理が実行される。
【０１３５】
具体的には、削除処理部１９は、第四削除処理において、受け付けられたジョブがプリントジョブである場合、当該プリントジョブに含まれる実行条件を取得し、当該取得した実行条件に含まれる画像データを取得する。そして、削除処理部１９は、キャンセルジョブテーブルＪＴに記憶されている、上記取得した画像データと同じ画像データを実行条件に含むプリントジョブと、当該プリントジョブに対応するジョブ番号、受付時刻及び処理情報とを削除する。
【０１３６】
尚、プリントジョブに含まれるジョブ名は、上述のように、プリント処理において用紙に形成させる対象の画像を表す画像データからなる電子ファイルのファイル名となっている。このため、削除処理部１９が、第四削除処理において、受け付けられたプリントジョブから実行条件を取得し、当該取得した実行条件に含まれているジョブ名と同じジョブ名を含むプリントジョブを削除するようにしてもよい。
【０１３７】
このように、上記実施形態の構成によれば、キャンセル指示に対応するジョブの実行がキャンセルされた場合に、当該ジョブがキャンセルジョブとして記憶部８に記憶される。そして、記憶部８に記憶されたキャンセルジョブがジョブ状況確認画面Ｗ２の選択表示欄Ａ２１に表示される。
【０１３８】
このため、ユーザーは、キャンセルしたジョブを再実行させようとした場合に、当該ジョブの入力操作を最初からやり直す手間をかけることなく、ジョブ状況確認画面Ｗ２の選択表示欄Ａ２１に表示されたキャンセルジョブを選択し、再実行ボタンＢ２３を用いて復帰指示を入力するだけで、当該選択したキャンセルジョブを容易に再実行させることができる。
【０１３９】
また、キャンセルされたジョブを再実行させる場合、当該ジョブの実行がキャンセルされたときに実行されていた処理以降の処理を実行させる。これにより、キャンセルされたジョブを、当該ジョブを構成する処理のうち最初の処理から再実行させる場合に比して、当該再実行に要する処理時間を軽減することができる。
【０１４０】
また、一覧表示部１７は、ログインしているユーザーによって入力されたキャンセルジョブを選択表示欄Ａ２１に表示する。
【０１４１】
このため、ログインユーザーが、選択表示欄Ａ２１に表示されたキャンセルジョブの中から、当該ログインユーザーとは他のユーザーによって入力されたキャンセルジョブを誤って選択する虞を軽減することができる。これにより、ログインユーザーが、他のユーザーによって入力されたキャンセルジョブを誤って選択し、当該誤って選択したキャンセルジョブを当該他のユーザーの許可なく、再実行する虞を軽減することができる。
【０１４２】
また、予め定められたタイミングで記憶部８に記憶されたキャンセルジョブが削除される。このため、再実行される可能性の低いキャンセルジョブが削除されずに記憶部８に記憶されたままの状態となることで、記憶部８に記憶可能なデータ量が無駄に少なくなる虞を軽減することができる。
【０１４３】
また、ユーザーに、削除処理部１９に削除処理を実行させるタイミングを入力させることができる。これにより、ユーザーの意図したタイミングで削除処理部１９に削除処理を実行させることができる。
【０１４４】
また、電力モードがスリープモードに切り替えられた場合、複合機１は、消費電力が抑制された状態になる。つまり、この場合、記憶部８に記憶されているキャンセルジョブが再実行される虞は低いと考えられる。
【０１４５】
上記実施形態の構成によれば、電力モードがスリープモードに切り替えられ、記憶部８に記憶されているキャンセルジョブが再実行される虞が低いと考えられるタイミングで、削除処理部１９に削除処理を実行させる。これにより、再実行される虞が低いと考えられるキャンセルジョブを適切に削除することができる。
【０１４６】
また、複合機１への電力の供給が遮断された場合、複合機１は近いうちに動作できない状態になる。つまり、この場合、記憶部８に記憶されているキャンセルジョブが再実行される虞は低いと考えられる。
【０１４７】
上記実施形態の構成によれば、複合機１への電力の供給が遮断され、記憶部８に記憶されているキャンセルジョブが再実行される虞が低いと考えられるタイミングで、削除処理部１９に削除処理を実行させる。これにより、再実行される虞が低いと考えられるキャンセルジョブを適切に削除することができる。
【０１４８】
また、キャンセルジョブが画像形成部７に用紙に形成させる画像と同じ画像を形成対象とするプリントジョブが受け付けられた場合、当該プリントジョブが実行部１４によって実行されるので、当該キャンセルジョブが再実行される虞は低いと考えられる。
【０１４９】
上記実施形態の構成によれば、キャンセルジョブが画像形成部７に用紙に形成させる画像と同じ画像を形成対象とするプリントジョブが受け付けられ、当該キャンセルジョブが再実行される虞が低くなったと考えられるタイミングで、削除処理部１９により削除処理が実行され、当該キャンセルジョブが削除される。これにより、再実行される虞が低いと考えられるキャンセルジョブを適切に削除することができる。
【０１５０】
また、ログイン管理部１２によりログアウトされ、複合機１にログインしていないユーザーが、自身が入力したキャンセルジョブを再実行する虞は低いと考えられる。
【０１５１】
上記実施形態の構成によれば、ログイン管理部１２によりログアウトされたユーザーが、自身が入力したキャンセルジョブを再実行する虞が低くなったと考えられるタイミングで、削除処理部１９により削除処理が実行され、当該キャンセルジョブが削除される。これにより、再実行される虞が低いと考えられるキャンセルジョブを適切に削除することができる。
【０１５２】
尚、上記実施形態は、本発明に係る実施形態の例示に過ぎず、本発明を上記実施形態に限定する趣旨ではない。例えば、以下に示す変形実施形態であってもよい。
【０１５３】
（１）タイミング設定画面Ｗ３にチェックボックスＣ３１を設けず、削除処理部１９が第一削除処理を実行しないようにしてもよい。タイミング設定画面Ｗ３にチェックボックスＣ３４を設けず、削除処理部１９が第四削除処理を実行しないようにしてもよい。
【０１５４】
（２）削除処理部１９が、第二削除処理、第三削除処理、第五削除処理、又は第六削除処理において、ステップＳ５０に代えて、ステップＳ４３と同様、ログインユーザーが入力したキャンセルジョブを削除するようにしてもよい。
【０１５５】
（３）タイミング設定画面Ｗ３にチェックボックスＣ３３を設けず、削除処理部１９が第三削除処理を実行しないようにしてもよい。タイミング設定画面Ｗ３にチェックボックスＣ３２を設けず、削除処理部１９が第二削除処理を実行しないようにしてもよい。
【０１５６】
（４）制御部１０が時期受付部２０として動作しないようにし、削除タイミングをユーザーの入力によらずに予め定めてもよい。
【０１５７】
（５）制御部１０が削除処理部１９として動作しないようにしてもよい。つまり、図９に示す動作を省略してもよい。
【０１５８】
（６）一覧表示部１７が、更に、ログインユーザー以外のユーザーによって入力された未完ジョブを選択表示欄Ａ２１に一覧表示するようにしてもよい。
【０１５９】
（７）キャンセル部１６が処理情報をキャンセルジョブテーブルＪＴに記憶しないようにし、復帰制御部１８が、ステップＳ２９に代えて、復帰指示に対応するキャンセルジョブを構成する全ての処理を実行部１４に実行させるようにしてもよい。
【符号の説明】
【０１６０】
１  複合機（ジョブ制御装置）
７  画像形成部（画像出力部）
８  記憶部
９  スイッチ部
１１  モード切替部
１２  ログイン管理部
１３  ジョブ受付部
１４  実行部
１５  状況表示部
１６  キャンセル部
１７  一覧表示部（復帰表示部）
１８  復帰制御部
１９  削除処理部
２０  時期受付部
４１  表示部
Ａ１  表示欄（第一表示欄）
Ａ２１  選択表示欄
Ｂ１２  キャンセルボタン（第一入力部）
Ｂ２３  再実行ボタン（第二入力部）
Ｗ１  実行画面（第一操作画面）
Ｗ２  ジョブ状況確認画面（第二操作画面）
【図１】
2016155339.tif 000003
【図２】
2016155339.tif 000004
【図３】
2016155339.tif 000005
【図４】
2016155339.tif 000006
【図６】
2016155339.tif 000007
【図７】
2016155339.tif 000008
【図８】
2016155339.tif 000009
【図９】
2016155339.tif 000010
【図５】
2016155339.tif 000011